(57)【要約】      （修正有）【課題】学会等の参加者のプロフィールや人脈（人間関係）を容易かつ迅速に把握でき、参加者間の交流を促進させる情報提供システム及び情報提供方法の提供。【解決手段】参加者毎に固有のカードである保持媒体から参加者識別情報を取得する情報取得手段と、取得された参加者識別情報を含むプロフィール要求情報を、通信手段を介して情報提供装置に送信する情報送信手段と、情報提供装置から送信されてきたプロフィール情報を受信する情報受信手段と、受信されたプロフィール情報を表示させる情報表示手段と、を備え、情報提供装置は、端末装置から送信されてきたプロフィール要求情報を受信する情報受信手段と、受信されたプロフィール要求情報に含まれる参加者識別情報に対応付けられたプロフィール情報を、参加者情報記憶手段から取得する情報取得手段と、取得されたプロフィール情報を通信手段を介して前記端末装置に送信する情報送信手段と、を備える。【選択図】図７
2007149020.tif 000002
【特許請求の範囲】
【請求項１】
複数の参加者により構成される会における夫々の前記参加者のプロフィール情報が、夫々の前記参加者毎に固有の参加者識別情報に対応付けられて少なくとも記憶された参加者情報記憶手段を有する情報提供装置と、前記夫々の参加者により使用され前記情報提供装置に対して通信手段を介して通信可能な複数の端末装置と、を備える情報提供システムであって、
前記端末装置は、
１の前記参加者識別情報を保持する保持媒体が付加され、且つ、少なくとも参加者の名称情報が記述されたカードであって前記参加者毎に固有の前記カードにおける前記保持媒体から前記参加者識別情報を取得する情報取得手段と、
前記取得された参加者識別情報を含むプロフィール要求情報を、前記通信手段を介して前記情報提供装置に送信する情報送信手段と、
前記送信されたプロフィール要求情報に含まれる参加者識別情報に対応するプロフィール情報であって、前記情報提供装置から送信されてきたプロフィール情報を受信する情報受信手段と、
前記受信されたプロフィール情報を表示させる情報表示手段と、
を備え、
前記情報提供装置は、
前記端末装置から送信されてきたプロフィール要求情報を受信する情報受信手段と、
前記受信されたプロフィール要求情報に含まれる参加者識別情報に対応付けられた前記プロフィール情報を、前記参加者情報記憶手段から取得する情報取得手段と、
前記取得されたプロフィール情報を前記通信手段を介して前記端末装置に送信する情報送信手段と、
を備えることを特徴とする情報提供システム。
【請求項２】
請求項１に記載の情報提供システムにおいて、
前記端末装置は、自己の使用者である前記参加者に固有の参加者識別情報を記憶する識別情報記憶手段を更に備え、
前記端末装置の情報取得手段は、前記使用者と異なる他の前記参加者が所持する前記カードにおける前記保持媒体から前記参加者識別情報を他の参加者識別情報として取得すると共に前記識別情報記憶手段から前記参加者識別情報を自己の参加者識別情報として取得し、
前記端末装置の情報送信手段は、前記取得された前記他の参加者識別情報及び前記自己の参加者識別情報を含む人脈登録要求情報を、前記通信手段を介して前記情報提供装置に送信し、
前記情報提供装置の情報受信手段は、前記端末装置から送信されてきた人脈登録要求情報を受信し、
前記情報提供装置は、前記受信された人脈登録要求情報に含まれる前記他の参加者識別情報を、前記受信された人脈登録要求情報に含まれる前記自己の参加者識別情報に対応付けられた人脈情報中に登録する人脈情報登録手段を更に備えることを特徴とする情報提供システム。
【請求項３】
請求項２に記載の情報提供システムにおいて、
前記端末装置は、前記使用者による人脈情報要求指示を受け付ける人脈情報取得指示受付手段を更に備え、
前記人脈情報要求指示が受け付けられた場合には、前記端末装置の情報送信手段は、前記自己の参加者識別情報を含む人脈情報要求情報を、前記通信手段を介して前記情報提供装置に送信し、
前記情報提供装置の情報受信手段は、前記端末装置から送信されてきた人脈情報要求情報を受信し、
前記情報提供装置の情報取得手段は、前記受信された人脈情報要求情報に含まれる前記自己の参加者識別情報に対応付けられた人脈情報を取得し、
前記情報提供装置の情報送信手段は、前記取得された人脈情報を前記通信手段を介して前記端末装置に送信し、
前記端末装置の情報受信手段は、前記情報提供装置から送信されてきた人脈情報を受信し、
前記端末装置の情報表示手段は、前記受信された人脈情報に含まれる他の参加者識別情報を前記使用者により選択可能に表示させることを特徴とする情報提供システム。
【請求項４】
請求項３に記載の情報提供システムにおいて、
前記端末装置は、前記表示された他の参加者識別情報うちから何れか一つの他の参加者識別情報の前記使用者による選択指示であって人脈情報取得のための選択指示を受け付ける人脈情報取得選択受付手段を更に備え、
前記人脈情報取得のための他の参加者識別情報の選択指示が受け付けられた場合には、前記端末装置の情報送信手段は、当該選択された他の参加者識別情報を含む人脈要求情報を、前記通信手段を介して前記情報提供装置に送信し、
前記情報提供装置の情報受信手段は、前記端末装置から送信されてきた人脈情報要求情報を受信し、
前記情報提供装置の情報取得手段は、前記受信された人脈情報要求情報に含まれる前記他の参加者識別情報に対応付けられた人脈情報を取得し、
前記情報提供装置の情報送信手段は、前記取得された人脈情報を前記通信手段を介して前記端末装置に送信し、
前記端末装置の情報受信手段は、前記情報提供装置から送信されてきた人脈情報を受信し、
前記端末装置の情報表示手段は、前記受信された人脈情報に含まれる他の参加者識別情報を前記使用者により選択可能に表示させることを特徴とする情報提供システム。
【請求項５】
請求項３又は４に記載の情報提供システムにおいて、
前記端末装置は、前記表示された他の参加者識別情報うちから何れか一つの他の参加者識別情報の前記使用者による選択指示であってプロフィール情報取得のための選択指示を受け付けるプロフィール情報取得選択受付手段を更に備え、
前記プロフィール情報取得のための他の参加者識別情報の選択指示が受け付けられた場合には、前記端末装置の情報送信手段は、当該選択された他の参加者識別情報を含むプロフィール要求情報を、前記通信手段を介して前記情報提供装置に送信し、
前記情報提供装置の情報受信手段は、前記端末装置から送信されてきたプロフィール要求情報を受信し、
前記情報提供装置の情報取得手段は、前記受信されたプロフィール要求情報に含まれる他の参加者識別情報に対応付けられた前記プロフィール情報を、前記参加者情報記憶手段から取得し、
前記情報提供装置の情報送信手段は、前記取得されたプロフィール情報を前記通信手段を介して前記端末装置に送信し、
前記端末装置の情報受信手段は、前記情報提供装置から送信されてきたプロフィール情報を受信し、
前記端末装置の情報表示手段は、前記受信されたプロフィール情報を表示させることを特徴とする情報提供システム。
【請求項６】
請求項３乃至５の何れか一項に記載の情報提供システムにおいて、
前記端末装置の情報表示手段は、前記受信された人脈情報に含まれる他の参加者識別情報に代えて当該参加者識別情報に対応する前記参加者の名称情報を選択可能に表示させることを特徴とする情報提供システム。
【請求項７】
請求項１乃至６の何れか一項に記載の情報提供システムにおいて、
前記夫々の参加者のカードには、参加者毎に固有の絵柄、色、又は模様等のアイテムが表示されており、
前記端末装置は、前記カードに表示された前記アイテムを撮影する撮影手段を更に備え、
前記端末装置の情報送信手段は、前記撮影されたアイテムの画像データ及び前記自己の参加者識別情報を含むコレクション登録要求情報を、前記通信手段を介して前記情報提供装置に送信し、
前記情報提供装置の情報受信手段は、前記端末装置から送信されてきたコレクション登録要求情報を受信し、
前記情報提供装置は、前記受信されたコレクション登録要求情報に含まれる前記アイテムの画像データを解析して、これに対応する画像データを取得すると共に、その画像データの前記端末装置の表示画面上に表示すべき位置を示す位置情報を取得し、前記受信されたコレクション登録要求情報に含まれる前記自己の参加者識別情報に対応付けられたコレクション情報中に前記対応するアイテムの画像データ及び前記取得した位置情報を対応付けて登録するコレクション情報登録手段を更に備えることを特徴とする情報提供システム。
【請求項８】
請求項７に記載の情報提供システムにおいて、
前記端末装置は、前記使用者によるコレクション情報要求指示を受け付けるコレクション情報取得指示受付手段を更に備え、
前記コレクション情報要求指示が受け付けられた場合には、前記端末装置の情報送信手段は、前記自己の参加者識別情報を含むコレクション情報要求情報を、前記通信手段を介して前記情報提供装置に送信し、
前記情報提供装置の情報受信手段は、前記端末装置から送信されてきたコレクション情報要求情報を受信し、
前記情報提供装置の情報取得手段は、前記受信されたコレクション情報要求情報に含まれる前記自己の参加者識別情報に対応付けられたコレクション情報を取得し、
前記情報提供装置の情報送信手段は、前記取得されたコレクション情報を前記通信手段を介して前記端末装置に送信し、
前記端末装置の情報受信手段は、前記情報提供装置から送信されてきたコレクション情報を受信し、
前記端末装置の情報表示手段は、前記受信されたコレクション情報に含まれる前記位置情報に示される表示画面上における位置に前記コレクション情報に含まれる前記アイテムの画像を表示させることを特徴とする情報提供システム。
【請求項９】
請求項９に記載の情報提供システムにおいて、
互いに異なる複数の前記アイテムの画像が前記表示画面上における夫々の位置に表示されることによって一つの完成画像が形成されることを特徴とする情報提供システム。
【請求項１０】
請求項１乃至９の何れか一項に記載の情報提供システムに含まれることを特徴とする情報提供装置。
【請求項１１】
コンピュータを、請求項１０に記載の情報提供装置として機能させることを特徴とする情報提供処理プログラム。
【請求項１２】
請求項１乃至９の何れか一項に記載の情報提供システムに含まれることを特徴とする端末装置。
【請求項１３】
コンピュータを、請求項１２に記載の端末装置として機能させることを特徴とする端末処理プログラム。
【請求項１４】
複数の参加者により構成される会における夫々の前記参加者のプロフィール情報が、夫々の前記参加者毎に固有の参加者識別情報に対応付けられて少なくとも記憶された参加者情報記憶手段を有する情報提供装置と、前記夫々の参加者により使用され前記情報提供装置に対して通信手段を介して通信可能な複数の端末装置と、を備える情報提供システムにおける情報提供方法であって、
前記端末装置が、前記参加者識別情報を保持する保持媒体が付加され、且つ、少なくとも参加者の名称情報が記述されたカードであって前記参加者毎に固有の前記カードにおける前記保持媒体から前記参加者識別情報を取得する工程と、
前記端末装置が、前記取得された参加者識別情報を含むプロフィール要求情報を、前記通信手段を介して前記情報提供装置に送信する工程と、
前記情報提供装置が、前記端末装置から送信されてきたプロフィール要求情報を受信する工程と、
前記情報提供装置が、前記受信されたプロフィール要求情報に含まれる参加者識別情報に対応付けられた前記プロフィール情報を、前記参加者情報記憶手段から取得する工程と、
前記情報提供装置が、前記取得されたプロフィール情報を前記通信手段を介して前記端末装置に送信する工程と、
前記端末装置が、前記情報提供装置から送信されてきたプロフィール情報を受信する工程と、
前記端末装置が、前記受信されたプロフィール情報を表示させる工程と、を備えることを特徴とする情報提供方法。
【発明の詳細な説明】
【技術分野】
【０００１】
本発明は、複数の参加者により構成される会における夫々の前記参加者のプロフィール情報が、夫々の前記参加者毎に固有の参加者識別情報に対応付けられて少なくとも記憶された参加者情報記憶手段を有する情報提供装置と、前記夫々の参加者により使用され前記情報提供装置に対して通信手段を介して通信可能な複数の端末装置と、を備える情報提供システム等の技術分野に関する。
【背景技術】
【０００２】
従来から国内には様々な学会が存在し、学会の各参加者は、その学会の会場において多くの他の参加者と出会うことになる。そのような参加者間の出会いの際における例えば名刺交換やその場での会話は、その後の交流を深めるきっかけになると考えられるが、相手の参加者の詳細なプロフィールや人脈（人間関係）までをも把握することは困難である。
【０００３】
一方、特許文献１には、複数のユーザ名を入力させ、入力されたユーザ名を含む公開データを検索してヒット件数を取得し、取得されたヒット件数が既定値を超えるか否かを判定し、既定値を超えると判断されたユーザ名間に人間関係データを設定する技術が開示されている。これにより、ユーザの人間関係を容易かつ正確、高速に把握し、その人間関係データに基づく優れた情報支援を実現することのできるとされている。
【特許文献１】特開２００４−３４８１７９号公報
【発明の開示】
【発明が解決しようとする課題】
【０００４】
ところで、上述したように、従来では、学会の参加者が会場において出会った他の参加者についてのプロフィールや人脈（人間関係）を容易かつ迅速に把握することは困難であり、したがって、そのような参加者間の交流を深めることには限界があった。
【０００５】
本発明は、以上の点に鑑みてなされたものであり、学会等の参加者についてのプロフィールや人脈（人間関係）を容易かつ迅速に把握でき、更に、参加者間の交流を促進させることが可能な情報提供システム及び情報提供方法等を提供することを課題とする。
【課題を解決するための手段】
【０００６】
上記課題を解決するために、請求項１に記載の発明は、複数の参加者により構成される会における夫々の前記参加者のプロフィール情報が、夫々の前記参加者毎に固有の参加者識別情報に対応付けられて少なくとも記憶された参加者情報記憶手段を有する情報提供装置と、前記夫々の参加者により使用され前記情報提供装置に対して通信手段を介して通信可能な複数の端末装置と、を備える情報提供システムであって、前記端末装置は、１の前記参加者識別情報を保持する保持媒体が付加され、且つ、少なくとも参加者の名称情報が記述されたカードであって前記参加者毎に固有の前記カードにおける前記保持媒体から前記参加者識別情報を取得する情報取得手段と、前記取得された参加者識別情報を含むプロフィール要求情報を、前記通信手段を介して前記情報提供装置に送信する情報送信手段と、前記送信されたプロフィール要求情報に含まれる参加者識別情報に対応するプロフィール情報であって、前記情報提供装置から送信されてきたプロフィール情報を受信する情報受信手段と、前記受信されたプロフィール情報を表示させる情報表示手段と、を備え、前記情報提供装置は、前記端末装置から送信されてきたプロフィール要求情報を受信する情報受信手段と、前記受信されたプロフィール要求情報に含まれる参加者識別情報に対応付けられた前記プロフィール情報を、前記参加者情報記憶手段から取得する情報取得手段と、前記取得されたプロフィール情報を前記通信手段を介して前記端末装置に送信する情報送信手段と、を備えることを特徴とする。
【０００７】
請求項２に記載の発明は、請求項１に記載の情報提供システムにおいて、前記端末装置は、自己の使用者である前記参加者に固有の参加者識別情報を記憶する識別情報記憶手段を更に備え、前記端末装置の情報取得手段は、前記使用者と異なる他の前記参加者が所持する前記カードにおける前記保持媒体から前記参加者識別情報を他の参加者識別情報として取得すると共に前記識別情報記憶手段から前記参加者識別情報を自己の参加者識別情報として取得し、前記端末装置の情報送信手段は、前記取得された前記他の参加者識別情報及び前記自己の参加者識別情報を含む人脈登録要求情報を、前記通信手段を介して前記情報提供装置に送信し、前記情報提供装置の情報受信手段は、前記端末装置から送信されてきた人脈登録要求情報を受信し、前記情報提供装置は、前記受信された人脈登録要求情報に含まれる前記他の参加者識別情報を、前記受信された人脈登録要求情報に含まれる前記自己の参加者識別情報に対応付けられた人脈情報中に登録する人脈情報登録手段を更に備えることを特徴とする。
【０００８】
請求項３に記載の発明は、請求項２に記載の情報提供システムにおいて、前記端末装置は、前記使用者による人脈情報要求指示を受け付ける人脈情報取得指示受付手段を更に備え、前記人脈情報要求指示が受け付けられた場合には、前記端末装置の情報送信手段は、前記自己の参加者識別情報を含む人脈情報要求情報を、前記通信手段を介して前記情報提供装置に送信し、前記情報提供装置の情報受信手段は、前記端末装置から送信されてきた人脈情報要求情報を受信し、前記情報提供装置の情報取得手段は、前記受信された人脈情報要求情報に含まれる前記自己の参加者識別情報に対応付けられた人脈情報を取得し、前記情報提供装置の情報送信手段は、前記取得された人脈情報を前記通信手段を介して前記端末装置に送信し、前記端末装置の情報受信手段は、前記情報提供装置から送信されてきた人脈情報を受信し、前記端末装置の情報表示手段は、前記受信された人脈情報に含まれる他の参加者識別情報を前記使用者により選択可能に表示させることを特徴とする。
【０００９】
請求項４に記載の発明は、請求項３に記載の情報提供システムにおいて、前記端末装置は、前記表示された他の参加者識別情報うちから何れか一つの他の参加者識別情報の前記使用者による選択指示であって人脈情報取得のための選択指示を受け付ける人脈情報取得選択受付手段を更に備え、前記人脈情報取得のための他の参加者識別情報の選択指示が受け付けられた場合には、前記端末装置の情報送信手段は、当該選択された他の参加者識別情報を含む人脈要求情報を、前記通信手段を介して前記情報提供装置に送信し、前記情報提供装置の情報受信手段は、前記端末装置から送信されてきた人脈情報要求情報を受信し、前記情報提供装置の情報取得手段は、前記受信された人脈情報要求情報に含まれる前記他の参加者識別情報に対応付けられた人脈情報を取得し、前記情報提供装置の情報送信手段は、前記取得された人脈情報を前記通信手段を介して前記端末装置に送信し、前記端末装置の情報受信手段は、前記情報提供装置から送信されてきた人脈情報を受信し、前記端末装置の情報表示手段は、前記受信された人脈情報に含まれる他の参加者識別情報を前記使用者により選択可能に表示させることを特徴とする。
【００１０】
請求項５に記載の発明は、請求項３又は４に記載の情報提供システムにおいて、前記端末装置は、前記表示された他の参加者識別情報うちから何れか一つの他の参加者識別情報の前記使用者による選択指示であってプロフィール情報取得のための選択指示を受け付けるプロフィール情報取得選択受付手段を更に備え、前記プロフィール情報取得のための他の参加者識別情報の選択指示が受け付けられた場合には、前記端末装置の情報送信手段は、当該選択された他の参加者識別情報を含むプロフィール要求情報を、前記通信手段を介して前記情報提供装置に送信し、前記情報提供装置の情報受信手段は、前記端末装置から送信されてきたプロフィール要求情報を受信し、前記情報提供装置の情報取得手段は、前記受信されたプロフィール要求情報に含まれる他の参加者識別情報に対応付けられた前記プロフィール情報を、前記参加者情報記憶手段から取得し、前記情報提供装置の情報送信手段は、前記取得されたプロフィール情報を前記通信手段を介して前記端末装置に送信し、前記端末装置の情報受信手段は、前記情報提供装置から送信されてきたプロフィール情報を受信し、前記端末装置の情報表示手段は、前記受信されたプロフィール情報を表示させることを特徴とする。
【００１１】
請求項６に記載の発明は、請求項３乃至５の何れか一項に記載の情報提供システムにおいて、前記端末装置の情報表示手段は、前記受信された人脈情報に含まれる他の参加者識別情報に代えて当該参加者識別情報に対応する前記参加者の名称情報を選択可能に表示させることを特徴とする。
【００１２】
請求項７に記載の発明は、請求項１乃至６の何れか一項に記載の情報提供システムにおいて、前記夫々の参加者のカードには、参加者毎に固有の絵柄、色、又は模様等のアイテムが表示されており、前記端末装置は、前記カードに表示された前記アイテムを撮影する撮影手段を更に備え、前記端末装置の情報送信手段は、前記撮影されたアイテムの画像データ及び前記自己の参加者識別情報を含むコレクション登録要求情報を、前記通信手段を介して前記情報提供装置に送信し、前記情報提供装置の情報受信手段は、前記端末装置から送信されてきたコレクション登録要求情報を受信し、前記情報提供装置は、前記受信されたコレクション登録要求情報に含まれる前記アイテムの画像データを解析して、これに対応する画像データを取得すると共に、その画像データの前記端末装置の表示画面上に表示すべき位置を示す位置情報を取得し、前記受信されたコレクション登録要求情報に含まれる前記自己の参加者識別情報に対応付けられたコレクション情報中に前記対応するアイテムの画像データ及び前記取得した位置情報を対応付けて登録するコレクション情報登録手段を更に備えることを特徴とする。
【００１３】
請求項８に記載の発明は、請求項７に記載の情報提供システムにおいて、前記端末装置は、前記使用者によるコレクション情報要求指示を受け付けるコレクション情報取得指示受付手段を更に備え、前記コレクション情報要求指示が受け付けられた場合には、前記端末装置の情報送信手段は、前記自己の参加者識別情報を含むコレクション情報要求情報を、前記通信手段を介して前記情報提供装置に送信し、前記情報提供装置の情報受信手段は、前記端末装置から送信されてきたコレクション情報要求情報を受信し、前記情報提供装置の情報取得手段は、前記受信されたコレクション情報要求情報に含まれる前記自己の参加者識別情報に対応付けられたコレクション情報を取得し、前記情報提供装置の情報送信手段は、前記取得されたコレクション情報を前記通信手段を介して前記端末装置に送信し、前記端末装置の情報受信手段は、前記情報提供装置から送信されてきたコレクション情報を受信し、前記端末装置の情報表示手段は、前記受信されたコレクション情報に含まれる前記位置情報に示される表示画面上における位置に前記コレクション情報に含まれる前記アイテムの画像を表示させることを特徴とする。
【００１４】
請求項９に記載の発明は、請求項９に記載の情報提供システムにおいて、互いに異なる複数の前記アイテムの画像が前記表示画面上における夫々の位置に表示されることによって一つの完成画像が形成されることを特徴とする。
【００１５】
請求項１０に記載の情報提供装置は、請求項１乃至９の何れか一項に記載の情報提供システムに含まれることを特徴とする。
【００１６】
請求項１１に記載の情報提供処理プログラムは、コンピュータを、請求項１０に記載の情報提供装置として機能させることを特徴とする。
【００１７】
請求項１２に記載の端末装置は、請求項１乃至９の何れか一項に記載の情報提供システムに含まれることを特徴とする。
【００１８】
請求項１３に記載の端末処理プログラムは、コンピュータを、請求項１２に記載の端末装置として機能させることを特徴とする。
【００１９】
請求項１４に記載の情報提供方法は、複数の参加者により構成される会における夫々の前記参加者のプロフィール情報が、夫々の前記参加者毎に固有の参加者識別情報に対応付けられて少なくとも記憶された参加者情報記憶手段を有する情報提供装置と、前記夫々の参加者により使用され前記情報提供装置に対して通信手段を介して通信可能な複数の端末装置と、を備える情報提供システムにおける情報提供方法であって、前記端末装置が、前記参加者識別情報を保持する保持媒体が付加され、且つ、少なくとも参加者の名称情報が記述されたカードであって前記参加者毎に固有の前記カードにおける前記保持媒体から前記参加者識別情報を取得する工程と、前記端末装置が、前記取得された参加者識別情報を含むプロフィール要求情報を、前記通信手段を介して前記情報提供装置に送信する工程と、前記情報提供装置が、前記端末装置から送信されてきたプロフィール要求情報を受信する工程と、前記情報提供装置が、前記受信されたプロフィール要求情報に含まれる参加者識別情報に対応付けられた前記プロフィール情報を、前記参加者情報記憶手段から取得する工程と、前記情報提供装置が、前記取得されたプロフィール情報を前記通信手段を介して前記端末装置に送信する工程と、前記端末装置が、前記情報提供装置から送信されてきたプロフィール情報を受信する工程と、前記端末装置が、前記受信されたプロフィール情報を表示させる工程と、を備えることを特徴とする。
【発明の効果】
【００２０】
本発明によれば、学会等の会の１の参加者の端末装置が、他の参加者のカードからその参加者識別情報を取得して情報提供装置に送信し、情報提供装置がその参加者識別情報に対応するプロフィール情報や人脈情報を端末装置に提供するようにしたので、上記１の参加者は、他の参加者についてのプロフィールや人脈を容易かつ迅速に把握でき、ひいては、参加者間の交流を促進させ、より一層、コミュニティの活性化を図ることができる。
【発明を実施するための最良の形態】
【００２１】
以下、本発明を実施するための最良の実施形態について、図面に基づいて説明する。なお、以下に説明する実施形態は、学会参加者交流支援システムに対して本発明を適用した場合の実施形態である。
【００２２】
先ず、図１を参照して、本実施形態に係る学会参加者交流支援システムの構成及び機能について説明する。
【００２３】
図１は、本実施形態に係る学会参加者交流支援システムの全体構成例を示す図である。
【００２４】
図１に示すように、学会参加者交流支援システムＳは、複数の端末装置としての複数の携帯端末１Ａ，１Ｂと、携帯端末１Ａ，１Ｂに対して情報提供を行う情報提供装置としての情報提供サーバ２と、を備えて構成されている。
【００２５】
携帯端末１Ａ，１Ｂは、移動体通信網（無線基地局、交換局等を含む）及びインターネット等により構築された通信手段としてのネットワークＮＴを介して情報提供サーバ２に接続して通信可能になっている。携帯端末１Ａ，１Ｂとしては、例えば、携帯電話機、ＰＤＡ（Personal Digital Assistant）、及びＰＨＳ（Personal Handyphone System）等を適用することができる。なお、本実施形態においては、携帯端末を例にとったが、これに限定されるものではなく、汎用のパーソナルコンピュータ（例えば、ノート型ＰＣ）であってもよい。
【００２６】
本実施形態において、携帯端末１Ａは、学会（複数の参加者により構成される会の一例）の参加者Ａにより使用され、携帯端末１Ｂは、学会の参加者Ｂにより使用される。なお、図１の例では、説明の便宜上、２つの携帯端末１Ａ，１Ｂを示したが、実際には、学会には多数の参加者が在籍しているので、これより多くの携帯端末が存在することになる。また、本実施形態においては、複数の参加者により構成される会として学会を例にとって説明するが、これに限定されるものではなく、その他、何らかの集まりから構成される会（例えば、講演会、展示会など、匿名ではない人が集まる会）であれば本発明を適用可能である。
【００２７】
また、学会の夫々の参加者には、参加者毎に固有の参加者識別情報としての参加者ＩＤが与えられると共に、参加者毎に固有のカードとしての名刺が与えられる（学会専用の名刺であり予め参加者に配布される）。
【００２８】
かかる名刺の表面には、参加者の名称情報としての氏名、勤務している会社名及び所属部署名、当該会社の住所及び電話番号、当該参加者の会社の電子メールアドレス等が記述されており、更に、名刺の表面には、その参加者の参加者ＩＤを携帯端末１Ａ，１Ｂにより読み取り可能に保持（例えば、記憶等）する保持媒体としてのＱＲコード（２次元バーコード）が付加（例えば、印刷又は貼り付け等）されている。なお、各名刺に付加される保持媒体としては、参加者ＩＤを読み取り可能に保持できるものであれば、ＱＲコード以外のものであっても良く、例えば、電子透かしやＩＣタグも適用可能である。
【００２９】
更に、夫々の参加者の名刺の裏面には、参加者毎に固有の絵柄、色、又は模様等のアイテムが表示（印刷又は貼り付け等により）されている。
【００３０】
絵柄としては、例えば、自動車（完成品）を構成するエンジン、タイヤ、ミラー、ボティ等の部品（パーツ）の絵柄、或いは、ロボット（完成品）を構成する頭、腕、足、胴等の部品の絵柄、或いは、人体（完成体）を構成する頭蓋骨、肋骨、背骨、腸、心臓等の部分の絵柄などが該当する。或いは、所謂アバターに対して着せ替えるための洋服、アクセサリー、靴、帽子、バック等の部品の絵柄なども該当する。そして、各参加者毎に名刺に表示される部品（又は部分）の絵柄が異なり、これらの部品（又は部分）の絵柄が集まり組みあがることによって完成品（完成体）ができあがるようになっている。
【００３１】
なお、トレーディングカードや食玩等の付属品に表示されているような人気キャラクターやスポーツ選手の絵柄であっても良く、この場合も、各参加者毎に名刺に表示される部品（又は部分）の絵柄が異なる。
【００３２】
また、色としては、例えば、赤、青、黄、緑等の色が該当し、各参加者毎に名刺に表示される色が異なり、これらの色が集まることによって、カラーマップ（色が次第に移り変わっていくグラデーションの絵柄）ができあがるようになっている。また、模様についても、同様、各参加者毎に異なる。
【００３３】
これらの絵柄、色、又は模様等は、携帯端末１Ａ，１Ｂのカメラにより撮影して取得することができる。
【００３４】
なお、本実施形態においては、カードとして名刺を例にとって説明するが、これに限定されるものではなく、例えば、各参加者に配布される名札であっても良く、この場合も、上記名刺と同様の内容が記述される。
【００３５】
図２は、携帯端末１Ａ，１Ｂの概要構成例を示す図である。
【００３６】
図２に示すように、携帯端末１Ａ，１Ｂは、ＣＰＵ（Central Processing Unit）、作業用のＲＡＭ（Random Access Memory）、データ及びプログラムを記憶するＲＯＭ（Read Only Memory）等を備える情報処理部１１、各種情報を記憶する識別情報記憶手段としての記憶部（例えば、不揮発性メモリ等からなる）１２、アンテナ及びネットワークＮＴを介して情報提供サーバ２との間で通信を行うための通信部（例えば、通信機器、通信ポート等）１３、各種情報を表示する表示パネルを有する表示部１４、使用者からの各種操作指示を入力する入力手段としての操作部１５、及び上記ＱＲコードやアイテム等を撮影する撮影手段としてのカメラ１６等を備えており、ＣＰＵが例えばＲＯＭや記憶部１２に記憶されたプログラム（端末処理プログラムを含む）を実行することにより、情報処理部１１は、本発明の情報取得手段、情報送信手段、情報受信手段、情報表示手段、人脈情報取得指示受付手段、人脈情報取得選択受付手段、及びプロフィール情報取得選択受付手段等として機能し、後述する処理を実行するようになっている。なお、図示しないが、携帯端末１Ａ，１Ｂは、ＩＣタグに記憶された情報を読み取るためのＩＣタグリーダを備えても良い。
【００３７】
記憶部１２には、使用者である学会参加者の参加者ＩＤが予め記憶（携帯端末１Ａの場合、参加者Ａの参加者ＩＤ、携帯端末１Ｂの場合、参加者Ｂの参加者ＩＤ）されている。例えば、かかる参加者ＩＤは、携帯端末１Ａから情報提供サーバ２に接続して学会への参加手続きを行うと発行され（情報提供サーバ２から携帯端末１Ａに送信され）、記憶部１２に記憶されることになる。なお、上述した参加者固有の名刺は、かかる参加手続きが行われた後に、例えば郵送される。または、学会当日、受付で手渡しされる。
【００３８】
図３は、情報提供サーバ２の概要構成例を示す図である。
【００３９】
図３に示すように、情報提供サーバ２は、ＣＰＵ、作業用のＲＡＭ、データ及びプログラムを記憶するＲＯＭ等を備える情報処理部２１、各種情報を記憶する参加者情報記憶手段としての記憶部（例えば、ハードディスクドライブ等からなる）２２、ネットワークＮＴを介して携帯端末１Ａ，１Ｂとの間で通信を行うための通信部（例えば、通信機器、通信ポート等）２３等を備えており、ＣＰＵが例えばＲＯＭや記憶部２２に記憶されたプログラム（情報提供処理プログラムを含む）を実行することにより、情報処理部２１は、本発明の情報受信手段、情報取得手段、情報送信手段、人脈情報登録手段、及びコレクション情報登録手段等として機能し、後述する処理を実行するようになっている。
【００４０】
記憶部２２には、参加者情報データベース２２ａ、人脈情報データベース２２ｂ、コレクション情報データベース２２ｃ、及びアイテム位置情報データベース２２ｄが構築されている。
【００４１】
参加者情報データベース２２ａには、夫々の参加者のプロフィール情報及び名刺に記載された氏名等の情報が、夫々の参加者の参加者ＩＤに対応付けられて記憶されている。このプロフィール情報には、例えば、所属学会名、参加者の論文の番号及び内容、著者になっている書籍名及び出版社名、及び経歴等の情報が含まれる。
【００４２】
人脈情報データベース２２ｂには、各参加者の人脈情報が、夫々の参加者の参加者ＩＤに対応付けられて記憶される。この人脈情報には、各参加者により携帯端末を用いて上記名刺のＱＲコードから取得された他の参加者の参加者ＩＤ、更には、当該他の参加者の氏名及び登録時刻等の情報が登録されることになる。
【００４３】
図４は、人脈情報データベース２２ｂに記憶された人脈情報の一例を示す図である。図４に示す例では、参加者Ａの人脈情報として、参加者Ａの参加者ＩＤ（“０００１”）に対応付けられて、参加者Ｂ，参加者Ｃ，参加者Ｄ・・・の参加者ＩＤが登録されている。また、参加者Ｂの人脈情報として、参加者Ｂの参加者ＩＤ（“０００２”）に対応付けられて、参加者Ａ，参加者Ｇ，参加者Ｈ・・・の参加者ＩＤが登録されている。
【００４４】
コレクション情報データベース２２ｃには、各参加者のコレクション情報が、夫々の参加者の参加者ＩＤに対応付けられて記憶される。このコレクション情報には、各参加者により携帯端末を用いて撮影された上記名刺のアイテムの画像データに対応する画像データ、及びその位置情報（携帯端末の表示画面上に表示すべき位置（座標）を示す）が登録されることになる。
【００４５】
アイテム位置情報データベース２２ｄには、上述したアイテムに対応する画像データ毎に、夫々に対応する上記位置情報が記憶されている。
【００４６】
次に、本実施形態に係る学会参加者交流支援システムＳの動作について説明する。
【００４７】
（１．人脈情報登録の際の動作）
先ず、図５乃至図７等を参照して人脈情報登録の際の動作について説明する。
【００４８】
図５は、学会の参加者Ａと参加者Ｂが名刺交換をする様子を示す図であり、図６は、携帯端末１Ａの表示部１４の表示パネル上に表示された表示画面例を示す図であり、図７は、人脈情報登録の際における、携帯端末１Ａ及び情報提供サーバ２における処理を示すフローチャートである。
【００４９】
先ず、学会の参加者Ａと参加者Ｂは、例えば所定の学会の会場で初対面し、名刺交換を行う。その後、例えば、参加者Ａが、携帯端末１Ａの操作部１５を操作して所定のアプリケーションを起動させると、表示パネル上にログイン画面（図示せず）が表示される。そして、かかる参加者Ａが、操作部１５を操作して、かかるログイン画面を通じて自己の参加者ＩＤ及びパスワードを入力し、実行ボタンを押下すると、携帯端末１Ａは、ネットワークＮＴを介して情報提供サーバ２に接続し、入力された参加者ＩＤ及びパスワードを送信する。これに対して、情報提供サーバ２は、送信された参加者ＩＤ及びパスワードが登録されているかどうかの認証処理を行い、登録されている場合には、その旨の通知を携帯端末１Ａに行う。なお、携帯端末１Ａの記憶部１２に参加者ＩＤとパスワードを保存しておくことにより、アプリケーションを起動と同時に自動ログインも可能である。
【００５０】
こうして当該通知を受信した携帯端末１Ａの表示パネル上には、例えば、図６に示すような表示画面５１が表示される。図６に示す表示画面５１の例では、人脈情報登録ボタン５１ａ，人脈情報閲覧ボタン５１ｂ、コレクション情報登録ボタン５１ｃ、及びコレクション情報閲覧ボタン５１ｄが設けられている。
【００５１】
そして、例えば、参加者Ａが携帯端末１Ａの操作部１５を操作して人脈情報登録ボタン５１ａを選択し、図示しない実行ボタンを押下すると（つまり、人脈情報登録指示を行う）、携帯端末１Ａの情報処理部１１は、その人脈情報登録指示を受け付ける（ステップＳ１）。
【００５２】
そして、携帯端末１Ａの情報処理部１１は、人脈情報登録指示を受け付けた場合には、カメラ１６を起動させる。そして、参加者Ａが、自己の携帯端末１Ａのカメラ１６のレンズ部分を、参加者Ｂの名刺の表面に付加されたＱＲコードに近づけシャッター（図示せず）を押下すると、当該ＱＲコードが撮影され、携帯端末１Ａの情報処理部１１は、これに埋め込まれた参加者Ｂ（つまり、携帯端末１Ａの使用者とは異なる）の参加者ＩＤを他の参加者ＩＤとして取得（復号化により）する（ステップＳ２）。
【００５３】
次いで、携帯端末１Ａの情報処理部１１は、記憶部１２に記憶されている参加者Ａの参加者ＩＤを自己の参加者ＩＤとして取得する（ステップＳ３）。
【００５４】
次いで、携帯端末１Ａの情報処理部１１は、上記取得した他の参加者ＩＤと自己の参加者ＩＤとを含むプロフィール閲覧・人脈登録要求メッセージ（プロフィール要求情報及び人脈登録要求情報の一例）を、ネットワークＮＴを介して情報提供サーバ２に送信する（ステップＳ４）。
【００５５】
一方、情報提供サーバ２の情報処理部２１は、携帯端末１Ａから送信されてきたプロフィール閲覧・人脈登録要求メッセージを受信すると（ステップＳ５）、受信されたプロフィール閲覧・人脈登録要求メッセージに含まれる他の参加者ＩＤ、当該他の参加者の氏名及び登録時刻等の情報を、上記受信されたプロフィール閲覧・人脈登録要求メッセージに含まれる自己の参加者ＩＤに対応付けられた人脈情報（人脈情報データベース２２ｂに記憶された人脈情報）中に登録する（ステップＳ６）。
【００５６】
次いで、情報提供サーバ２の情報処理部２１は、受信されたプロフィール閲覧・人脈登録要求メッセージに含まれる他の参加者ＩＤに対応付けられたプロフィール情報を参加者情報データベース２２ａから取得し（ステップＳ７）、取得したプロフィール情報をネットワークＮＴを介して携帯端末１Ａに送信する（ステップＳ８）。
【００５７】
一方、携帯端末１Ａの情報処理部１１は、情報提供サーバ２から送信されてきたプロフィール情報を受信し（ステップＳ９）、受信されたプロフィール情報を表示部１４における表示パネル上に表示させる（ステップＳ１０）。
【００５８】
このような処理によれば、例えば参加者Ａは、参加者Ｂの名刺に記載された情報では得られなかった詳細な情報、即ち、所属学会名、参加者の論文の番号及び内容、著者になっている書籍名及び出版社名、及び経歴等の情報を、名刺交換だけで見ることができる。従って、話題としての質の高い情報提供を行うことが可能となり、ひいては、参加者間の交流を促進させ、より一層、コミュニティの活性化を図ることができる。
【００５９】
（２．人脈情報、プロフィール情報閲覧の際の動作）
次に、図６、図８、及び図９等を参照して人脈情報登録の際の動作について説明する。
【００６０】
図８は、人脈情報及びプロフィール情報閲覧の際における、携帯端末１Ａ及び情報提供サーバ２における処理を示すフローチャートであり、図９は、携帯端末１Ａの表示部１４の表示パネル上に表示された表示画面例を示す図である。
【００６１】
先ず、携帯端末１Ａの表示パネル上に、図６に示す表示画面５１が表示されている状態において、例えば、参加者Ａが携帯端末１Ａの操作部１５を操作して人脈情報閲覧ボタン５１ｂを選択し、図示しない実行ボタンを押下する（つまり、人脈情報要求指示を行う）と、携帯端末１Ａの情報処理部１１は、その人脈情報要求指示を受け付ける（ステップＳ１１）。そして、携帯端末１Ａの情報処理部１１は、人脈情報要求指示を受け付けた場合には、記憶部１２に記憶されている参加者Ａの参加者ＩＤを取得し（ステップＳ１２）、取得した自己の参加者ＩＤを含む人脈閲覧要求メッセージ（人脈情報要求情報の一例）を、ネットワークＮＴを介して情報提供サーバ２に送信する（ステップＳ１３）。
【００６２】
一方、情報提供サーバ２の情報処理部２１は、携帯端末１Ａから送信されてきた人脈閲覧要求メッセージを受信すると（ステップＳ１４）、受信された人脈閲覧要求メッセージに含まれる自己の参加者ＩＤに対応付けられた人脈情報を人脈情報データベース２２ｂから取得し（ステップＳ１５）、取得した人脈情報をネットワークＮＴを介して携帯端末１Ａに送信する（ステップＳ１６）。
【００６３】
一方、携帯端末１Ａの情報処理部１１は、情報提供サーバ２から送信されてきた人脈情報を受信し（ステップＳ１７）、受信された人脈情報を表示部１４における表示パネル上に表示させる（ステップＳ１８）。
【００６４】
こうして携帯端末１Ａの表示パネル上には、例えば、図９（Ａ）に示すような表示画面５２が表示される。図９（Ａ）に示す表示画面５２の例では、参加者Ａの人脈情報に含まれる複数の他の参加者（つまり、参加者Ａが過去に名刺交換した複数の参加者）の参加者ＩＤ、参加者氏名及び登録年月日及び時刻が、参加者Ａにより選択可能にリスト形式で表示されており、更に、プロフィール情報閲覧ボタン５２ａ及び人脈情報閲覧ボタン５２ｂが設けられている。なお、図９（Ａ）に示す表示画面５２の例では、参加者ＩＤと参加者氏名の双方を表示させるようにしているが、何れか一方を表示させるように構成しても良い。
【００６５】
このような表示状態において、参加者Ａは、操作部１５を操作することにより、カーソル５２ｃを移動させて何れか一つの所望の参加者ＩＤを選択（プロフィール情報取得のための選択）し、且つ、プロフィール情報閲覧ボタン５２ａを選択して、図示しない実行ボタンを押下する（つまり、プロフィール情報取得のための選択指示を行う）と、携帯端末１Ａの情報処理部１１は、当該プロフィール情報取得のための選択指示を受け付ける（ステップＳ１９）。
【００６６】
そして、携帯端末１Ａの情報処理部１１は、プロフィール情報取得のための選択指示を受け付けた場合には、選択された参加者ＩＤ（例えば、参加者Ｂの参加者ＩＤ）を取得し（ステップＳ２０）、取得した参加者ＩＤを含むプロフィール閲覧要求メッセージ（プロフィール要求情報の一例）を、ネットワークＮＴを介して情報提供サーバ２に送信する（ステップＳ２１）。
【００６７】
一方、情報提供サーバ２の情報処理部２１は、携帯端末１Ａから送信されてきたプロフィール閲覧要求メッセージを受信すると（ステップＳ２２）、受信されたプロフィール閲覧要求メッセージに含まれる参加者ＩＤに対応付けられたプロフィール情報を参加者情報データベース２２ａから取得し（ステップＳ２３）、取得したプロフィール情報をネットワークＮＴを介して携帯端末１Ａに送信する（ステップＳ２４）。
【００６８】
一方、携帯端末１Ａの情報処理部１１は、情報提供サーバ２から送信されてきたプロフィール情報を受信し（ステップＳ２５）、受信されたプロフィール情報を表示部１４における表示パネル上に表示させる（ステップＳ２６）。
【００６９】
こうして、参加者Ａは、図９（Ａ）に示すような表示画面５２における参加者ＩＤの一覧から選択した所望の参加者のプロフィール情報を簡単に見ることができる。
【００７０】
一方、図９（Ａ）に示す表示画面５２の表示状態において、参加者Ａは、操作部１５を操作することにより、カーソル５２ｃを移動させて何れか一つの所望の参加者ＩＤを選択（人脈情報取得のための選択）し、且つ、人脈情報閲覧ボタン５２ｂを選択して、図示しない実行ボタンを押下する（つまり、人脈情報取得のための選択指示を行う）と、携帯端末１Ａは、当該人脈情報取得のための選択指示を受け付ける（ステップＳ２７）。
【００７１】
そして、携帯端末１Ａの情報処理部１１は、人脈情報取得のための選択指示を受け付けた場合には、選択された参加者ＩＤ（例えば、参加者Ｂの参加者ＩＤ）を取得し（ステップＳ２８）、取得した参加者ＩＤを含む人脈閲覧要求メッセージ（人脈要求情報の一例）を、ネットワークＮＴを介して情報提供サーバ２に送信する（ステップＳ２９）。
【００７２】
一方、情報提供サーバ２の情報処理部２１は、携帯端末１Ａから送信されてきた人脈閲覧要求メッセージを受信すると（ステップＳ３０）、受信された人脈閲覧要求メッセージに含まれる参加者ＩＤ（例えば、参加者Ｂの参加者ＩＤ）に対応付けられた人脈情報を人脈情報データベース２２ｂから取得し（ステップＳ３１）、取得した人脈情報をネットワークＮＴを介して携帯端末１Ａに送信する（ステップＳ３２）。
【００７３】
一方、携帯端末１Ａの情報処理部１１は、情報提供サーバ２から送信されてきた人脈情報を受信し（ステップＳ３３）、受信された人脈情報を表示部１４における表示パネル上に表示させる（ステップＳ３４）。
【００７４】
こうして携帯端末１Ａの表示パネル上には、例えば、図９（Ｂ）に示すような表示画面５３が表示される。図９（Ｂ）に示す表示画面５３の例では、参加者Ｂの人脈情報に含まれる複数の他の参加者（つまり、参加者Ｂが過去に名刺交換した複数の参加者）の参加者ＩＤ、参加者の氏名及び登録時刻が、参加者Ａにより選択可能にリスト形式で表示されており、更に、プロフィール情報閲覧ボタン５３ａ及び人脈情報閲覧ボタン５３ｂが設けられている。なお、図９（Ｂ）に示す表示画面５３における機能は、図９（Ａ）に示す表示画面５２と同様であるので説明を省略する。
【００７５】
このような処理によれば、例えば参加者Ａは、自己の人脈情報に登録されている参加者（例えば、参加者Ｂ）の人脈情報も把握することができ、自己の人脈情報中に登録されていない参加者であっても、自己の人脈情報中に登録されている参加者の人脈情報に登録されていれば、その参加者のプロフィール情報を見ることができる。従って、各参加者は、学会の参加者の人脈を詳細に把握することができ、ひいては、参加者間の交流を促進させ、より一層、コミュニティの活性化を図ることができる。
【００７６】
（３．コレクション情報登録の際の動作）
次に、図６、図１０及び図１１等を参照して人脈情報登録の際の動作について説明する。
【００７７】
図１０は、学会の参加者Ａと参加者Ｂの名刺交換の際に当該名刺の裏面を示した図であり、図１１は、コレクション情報登録の際における、携帯端末１Ａ及び情報提供サーバ２における処理を示すフローチャートである。
【００７８】
先ず、携帯端末１Ａの表示パネル上に、図６に示す表示画面５１が表示されている状態において、例えば、参加者Ａが携帯端末１Ａの操作部１５を操作してコレクション情報登録ボタン５１ｃを選択し、図示しない実行ボタンを押下すると（つまり、コレクション情報登録指示を行う）、携帯端末１Ａの情報処理部１１は、そのコレクション情報登録指示を受け付ける（ステップＳ４１）。
【００７９】
そして、携帯端末１Ａの情報処理部１１は、コレクション情報登録指示を受け付けた場合には、カメラ１６を起動させる。そして、参加者Ａが、自己の携帯端末１Ａのカメラ１６のレンズ部分を、参加者Ｂの名刺の裏面に表示されたアイテム（例えば、図１０に示すような骨の絵柄）に近づけシャッター（図示せず）を押下すると、当該アイテムが撮影され、携帯端末１Ａの情報処理部１１は、その画像データを取得する（ステップＳ４２）。
【００８０】
次いで、携帯端末１Ａの情報処理部１１は、記憶部１２に記憶されている参加者Ａ（自己）の参加者ＩＤを取得する（ステップＳ４３）。
【００８１】
次いで、携帯端末１Ａの情報処理部１１は、上記撮影されたアイテムの画像データ及び自己の参加者ＩＤを含むコレクション登録要求メッセージ（コレクション登録要求情報の一例）を、ネットワークＮＴを介して情報提供サーバ２に送信する（ステップＳ４４）。
【００８２】
一方、情報提供サーバ２の情報処理部２１は、携帯端末１Ａから送信されてきたコレクション登録要求メッセージを受信すると（ステップＳ４５）、受信されたコレクション登録要求メッセージに含まれるアイテムの画像データを解析してこれに対応する画像データ（以下、「対応画像データ」という）をアイテム位置情報データベース２２ｄから取得すると共に、その対応画像データの携帯端末１Ａの表示画面上に表示すべき位置を示す位置情報をアイテム位置情報データベース２２ｄから取得する（ステップＳ４６）。例えば、情報処理部２１は、当該アイテムの輪郭及び色等についての画像解析を行い、アイテム位置情報データベース２２ｄに予め記憶されている画像データのうちから最も近似する画像データを対応画像データとして取得する。
【００８３】
次いで、情報提供サーバ２の情報処理部２１は、上記取得した対応画像データ及び上記取得した位置情報を、上記受信されたコレクション登録要求メッセージに含まれる参加者ＩＤに対応付けられたコレクション情報（コレクション情報データベース２２ｃに記憶されたコレクション情報）中に登録する（ステップＳ４７）。
【００８４】
このように、各参加者が、他の参加者の名刺の裏面に表示されたアイテムを撮影する度に、そのアイテムに対応する画像データがコレクション情報中に登録されていくことになる。つまり、互いに異なるアイテムの画像データが多数登録されていくことになる。
【００８５】
（４．コレクション情報閲覧の際の動作）
次に、図６、図１２及び図１３等を参照して人脈情報登録の際の動作について説明する。
【００８６】
図１２は、コレクション情報閲覧の際における、携帯端末１Ａ及び情報提供サーバ２における処理を示すフローチャートであり、図１３は、携帯端末１Ａの表示部１４の表示パネル上に表示された表示画面例を示す図である。
【００８７】
先ず、携帯端末１Ａの表示パネル上に、図６に示す表示画面５１が表示されている状態において、例えば、参加者Ａが携帯端末１Ａの操作部１５を操作してコレクション情報閲覧ボタン５１ｄを選択し、図示しない実行ボタンを押下する（つまり、コレクション情報要求指示を行う）と、携帯端末１の情報処理部１１は、そのコレクション情報要求指示を受け付ける（ステップＳ５１）。
【００８８】
そして、携帯端末１Ａの情報処理部１１は、コレクション情報要求指示を受け付けた場合には、記憶部１２に記憶されている参加者Ａの参加者ＩＤを取得し（ステップＳ５２）、取得した自己の参加者ＩＤを含むコレクション閲覧要求メッセージ（コレクション情報要求情報の一例）を、ネットワークＮＴを介して情報提供サーバ２に送信する（ステップＳ５３）。
【００８９】
一方、情報提供サーバ２の情報処理部２１は、携帯端末１Ａから送信されてきたコレクション閲覧要求メッセージを受信すると（ステップＳ５４）、受信されたコレクション閲覧要求メッセージに含まれる参加者ＩＤに対応付けられたコレクション情報をコレクション情報データベース２２ｃから取得し（ステップＳ５５）、取得したコレクション情報をネットワークＮＴを介して携帯端末１Ａに送信する（ステップＳ５６）。
【００９０】
一方、携帯端末１Ａの情報処理部１１は、情報提供サーバ２から送信されてきたコレクション情報を受信し（ステップＳ５７）、受信されたコレクション情報に含まれる位置情報に示される表示画面上（表示部１４における表示パネル上）における位置に、上記コレクション情報に含まれるアイテムの画像を表示させる（ステップＳ５８）。
【００９１】
こうして携帯端末１Ａの表示パネル上には、例えば、図１３に示すような表示画面５４が表示される。図１３に示す表示画面５４の例では、全ての部品の絵柄が集まり組みあがった完成体が表示されている。つまり、互いに異なる複数のアイテムの画像が上記表示画面上における夫々の位置に表示されることによって一つの完成画像が形成されることになる。
【００９２】
このような処理によれば、各参加者は、他の参加者から名刺をもらう度に、その裏面に表示されたアイテムを撮影することによってその対応画像データを登録し、全てのアイテムが揃うまでの過程（つまり、次第に、表示されるアイテム画像の数が増え完成体に近づいていく過程）を携帯端末１Ａ上で見ることができるので、全てのアイテムを集めるというモチベーションを高めることができる。従って、参加者間の交流を促進させ、より一層、コミュニティの活性化を図ることができる。
【図面の簡単な説明】
【００９３】
【図１】本実施形態に係る学会参加者交流支援システムの全体構成例を示す図である。
【図２】携帯端末１Ａ，１Ｂの概要構成例を示す図である。
【図３】情報提供サーバ２の概要構成例を示す図である。
【図４】人脈情報データベース２２ｂに記憶された人脈情報の一例を示す図である。
【図５】学会の参加者Ａと参加者Ｂが名刺交換をする様子を示す図である。
【図６】携帯端末１Ａの表示部１４の表示パネル上に表示された表示画面例を示す図である。
【図７】人脈情報登録の際における、携帯端末１Ａ及び情報提供サーバ２における処理を示すフローチャートである。
【図８】人脈情報及びプロフィール情報閲覧の際における、携帯端末１Ａ及び情報提供サーバ２における処理を示すフローチャートである。
【図９】携帯端末１Ａの表示部１４の表示パネル上に表示された表示画面例を示す図である。
【図１０】学会の参加者Ａと参加者Ｂの名刺交換の際に当該名刺の裏面を示した図である。
【図１１】コレクション情報登録の際における、携帯端末１Ａ及び情報提供サーバ２における処理を示すフローチャートである。
【図１２】コレクション情報閲覧の際における、携帯端末１Ａ及び情報提供サーバ２における処理を示すフローチャートである。
【図１３】携帯端末１Ａの表示部１４の表示パネル上に表示された表示画面例を示す図である。
【符号の説明】
【００９４】
１Ａ，１Ｂ  携帯端末
２  情報提供サーバ
１１  情報処理部
１２  記憶部
１３  通信部
１４  表示部
１５  操作部
１６  カメラ
２１  情報処理部
２２  記憶部
２２ａ  参加者情報データベース
２２ｂ  人脈情報データベース
２２ｃ  コレクション情報データベース
２２ｄ  アイテム位置情報データベース
２３  通信部
ＮＴ  ネットワーク
Ｓ  学会参加者交流支援システム
【図１】
2007149020.tif 000003
【図２】
2007149020.tif 000004
【図３】
2007149020.tif 000005
【図４】
2007149020.tif 000006
【図５】
2007149020.tif 000007
【図６】
2007149020.tif 000008
【図７】
2007149020.tif 000009
【図８】
2007149020.tif 000010
【図９】
2007149020.tif 000011
【図１０】
2007149020.tif 000012
【図１１】
2007149020.tif 000013
【図１２】
2007149020.tif 000014
【図１３】
2007149020.tif 000015